(57)【要約】【課題】効果的に放熱を行うことができるとともに、カバー体内への遊技球の侵入を抑制することができる遊技機を提供する。【解決手段】遊技機における遊技の制御を行う制御基板１２が取り付けられる本体枠の背面に装着され、少なくとも前記制御基板１２を覆う開閉可能なカバー体１７を備え、該カバー体１７には、該カバー体１７内で発生する熱を逃がすための通気孔２２が設けられている遊技機において、前記カバー体１７には、少なくともそのカバー体１７閉扉時の高さ方向における前記通気孔２２の下端２２ａから、該通気孔２２を閉塞することなく、カバー体１７閉扉時において対向する前記本体枠の背面方向に向けて昇り傾斜状に連続する傾斜部２３を備えた。【選択図】図５
2007209537.tif 000002
【特許請求の範囲】
【請求項１】
遊技機における遊技の制御を行う制御基板が取り付けられる本体枠の背面に装着され、少なくとも前記制御基板を覆う開閉可能なカバー体を備え、
該カバー体には、該カバー体内で発生する熱を逃がすための通気孔が設けられている遊技機において、
前記カバー体には、少なくともそのカバー体閉扉時の高さ方向における前記通気孔の下端縁から、該通気孔を閉塞することなく、カバー体閉扉時において対向する前記本体枠の背面方向に向けて昇り傾斜状に連続する傾斜部を備えたことを特徴とする遊技機。
【請求項２】
制御基板は、箱状の基板ケース内に収容されて本体枠の背面に取り付けられており、
傾斜部の上端側は、前記基板ケースの側壁に近接して臨む位置に配されていることを特徴とする請求項１に記載の遊技機。
【請求項３】
傾斜部は、カバー体と一体成形されていることを特徴とする請求項１又は２に記載の遊技機。
【請求項４】
傾斜部は、通気孔の左右側端縁と連続する左右の横壁部を備えたことを特徴とする請求項１乃至３のいずれかに記載の遊技機。
【請求項５】
カバー体の背面側で、かつカバー体閉扉時の高さ方向における通気孔の上端縁から、カバー体外方に向けて下り傾斜状に連続する背面側傾斜部を備えたことを特徴とする請求項１乃至４のいずれかに記載の遊技機。
【発明の詳細な説明】
【技術分野】
【０００１】
本発明は、弾球遊技機（パチンコ機）、回胴式遊技機（パチスロ機）などの遊技機に関する。
【背景技術】
【０００２】
弾球遊技機（いわゆるパチンコ機）には、例えば特許文献１に開示のように、遊技の進行を制御する主制御基板、該主制御基板からの信号に従って演出表示装置を制御する副制御基板、貸球及び賞球の払出を制御する払出制御基板等が、夫々基板ケースに収容されて遊技機本体枠の背面側の基板ベースに備えられ、それら基板ケースの上方を覆うようにカバー体を着脱可能に取り付けている。また、このカバー体には、制御基板や演出表示装置から生じた熱を逃がすための通気孔が設けられている。
【特許文献１】特開２００５−３２３８６１号公報
【発明の開示】
【発明が解決しようとする課題】
【０００３】
一般に遊技機は、遊技場の島設備に対して、遊技機の背面同士が対向するように取り付けられている。
また、島設備には、遊技機へ供給する遊技球が流下する補給樋が設けられ、各遊技機は、この補給樋の下方に配設されることから、補給樋から溢れ出した遊技球が遊技機へと落下することがある。
そして、このように、遊技機へと落下した遊技球が、カバー体に設けられている前記放熱用の通気孔から侵入した場合、カバー体内部の各部材を損傷したり、電気部品がショートしたりして遊技機が損傷したりする虞があった。
【０００４】
本発明は、このような問題を解決するためになされており、その目的とするところは、効果的に放熱を行うことができるとともに、カバー体内への遊技球の侵入を抑制することができる遊技機を提供することである。
【課題を解決するための手段】
【０００５】
このような目的を達成するために、第１の発明は、遊技機における遊技の制御を行う制御基板１２が取り付けられる本体枠１の背面に装着され、少なくとも前記制御基板１２を覆う開閉可能なカバー体１７を備え、該カバー体１７には、該カバー体１７内で発生する熱を逃がすための通気孔２２が設けられている遊技機において、前記カバー体１７には、少なくともそのカバー体１７閉扉時の高さ方向における前記通気孔２２の下端縁２２ａから、該通気孔２２を閉塞することなく、カバー体１７閉扉時において対向する前記本体枠１の背面方向に向けて昇り傾斜状に連続する傾斜部２３を備えたことを特徴とする遊技機としたことである。
【０００６】
本発明によれば、通気孔２２により制御基板１２や演出表示装置などから生じる熱を効果的に放熱するだけでなく、遊技球が通気孔２２を介してカバー体１７内へ侵入しようとしても、該通気孔２２と連続して備えられている傾斜部２３によって侵入が阻止される。
【０００７】
第２の発明は、第１の発明において、制御基板１２は、箱状の基板ケース１９内に収容されて本体枠１の背面に取り付けられており、傾斜部２３の上端側は、前記基板ケース１９の側壁１９ａに近接して臨む位置に配されていることを特徴とする遊技機としたことである。
【０００８】
本発明によれば、この傾斜部２３の上端側を基板ケース１９の側壁１９ａに近接して臨ませているため、制御基板１２で発生した熱を効率的に遊技機外方へと逃がすことができ、放熱効果を向上させることができる。さらに、外気を制御基板１２方向へと案内する外気誘導ガイドとして傾斜部２３が機能するため、制御基板１２の冷却効果も有している。
【０００９】
第３の発明は、第１又は第２の発明において、傾斜部２３は、カバー体１７と一体成形されていることを特徴とする遊技機としたことである。
【００１０】
本発明によれば、製造コストに優れる。
【００１１】
第４の発明は、第１乃至第３のいずれかの発明において、傾斜部２３は、通気孔２２の左右側端縁２２ｂと連続する左右の横壁部２６を備えたことを特徴とする遊技機としたことである。
【００１２】
本発明によれば、通気孔２２の側端方向からの侵入も抑制でき、より効率的に遊技球の侵入抑制が図れる。
【００１３】
第５の発明は、第１乃至第４のいずれかの発明において、カバー体１７の背面側で、かつカバー体１７閉扉時の高さ方向における通気孔２２の上端縁２２ｃから、カバー体１７外方に向けて下り傾斜状に連続する背面側傾斜部２５を備えたことを特徴とする遊技機としたことである。
【００１４】
本発明によれば、カバー体１７内方で、通気孔２２の下端縁２２ａから昇り傾斜状に備えられる傾斜部２３と、カバー体１７の背面側で外方に向けて下り傾斜状に備えられる背面側傾斜部２５との二重の遊技球侵入抑制構造により、遊技機外部からの遊技球の侵入抑制がさらに効果的に行い得る。
【発明の効果】
【００１５】
本発明によれば、効果的に放熱を行うことができるとともに、カバー体内への遊技球の侵入を抑制することができる遊技機を提供できた。
【発明を実施するための最良の形態】
【００１６】
以下、本発明の遊技機の一実施形態について説明する。なお、本実施形態は本発明遊技機の一例にすぎずなんらこれに限定解釈されるものではなく、本発明の範囲内で設計変更可能である。なお、各実施例では、本発明遊技機の一例として弾球遊技機を挙げて説明するが、回胴式遊技機などその他の遊技機も対象である。
【実施例１】
【００１７】
図１乃至図５は本発明の実施例１を示す。
図１は弾球遊技機の一例を示す正面図で、図２は背面図である。
弾球遊技機は、遊技盤ベースに始動入賞口や遊技釘などの種々の遊技部材を備えて構成した図示しない遊技盤が装着される本体枠１と、該本体枠１内で遊技盤の背面側に配設され、該遊技盤を介して視認可能な図示しない演出表示装置（例えば液晶表示装置など）と、該演出表示装置の背面側に配設される種々の裏機構２と、この本体枠１の前面側にて開閉可能に備えられ、前記遊技盤を視認可能にして配設される開閉扉３と、該開閉扉３の前面側に一体に備えられる上皿４と、該開閉扉３の下方にて本体枠１の前面側に配設される下皿５およびハンドル６とを備えて構成されている。
また、本実施例では、前記開閉扉３が配設される本体枠１の前面側上部に、該本体枠１上部に備えられる図示しない左右のスピーカを覆うように任意形状のカバー部材７が配設されている。
【００１８】
また、本実施例では、図１に示すように、前記上皿４の前面に、前記演出表示装置に変動表示される図柄の変動を停止させる図柄停止ボタン８がユニット化されて備えられている。
本実施例では、図示はしないが、三列で変動表示する各図柄群に応じて三箇所のボタン８（８ａ，８ｂ，８ｃ）が備えられている。この図柄停止ボタン８の配設個所、配設個数若しくは形状などは特に限定されるものではなく本発明の範囲内で設計変更可能である。
このように、図柄停止ボタン８を備え、遊技者が演出表示装置に変動表示される図柄を自己の意思により停止させることができることから、遊技に積極的に参加することができ、遊技に対する興趣が向上する。
【００１９】
本実施例におけるハンドル６は、図１に示すように、遊技者側から見た状態で下皿５の左側（図１にて左側）に備えられており、ハンドル６の回動操作により内蔵されている遊技球発射機構（例えば発射ソレノイドなど）を操作し、遊技球を遊技盤の遊技領域へ打ち出すものである。なお、ハンドル６は、遊技球を発射操作する場合に、遊技者側から見て時計方向に回転させる形態と、反時計方向に回転させる形態のいずれであってもよい。
このようにハンドル６を遊技機の左側に備えたことにより、特に左利きの遊技者にとってハンドル操作がし易くなる。また、本実施例では、上述したように、上皿４の前面に図柄停止ボタン８を配設しているため、この図柄停止ボタン８の操作が右手で行え、ボタン操作がし易い。
なお、ハンドル６は、遊技者側から見た状態で右側に備えられる形態であってもよく特に限定解釈されるものではない。
【００２０】
裏機構２は、例えば本実施例では、図２に示すように、本体枠１の上部に備えられた貸球及び賞球を貯蔵する球タンク９と、本体枠１の側部に備えられ、前記球タンク９から上皿４へと貸球及び賞球を誘導する球通路１０と、本体枠１の略中央に備えられ、遊技機を制御する各種制御基板（主制御基板１１，副制御基板１２，電源基板１３、払出制御基板１４）、操作に応じて遊技機への電源の供給又は遮断を行うための電源スイッチ１５をそれぞれ配設した基板ベース１６とで構成されている。
そして、本体枠１の背面には、前記主制御基板１１等を覆うカバー体１７が開閉可能に備えられている。
【００２１】
基板ベース１６には、遊技機の設計上の都合によって種々の制御基板が自由に配置される。例えば本実施例では、図２乃至図４に示すように、遊技の進行を制御する主制御基板１１、該主制御基板１１からの信号に従って各演出装置を制御する副制御基板１２、電源基板１３、貸球及び賞球の払出を制御する払出制御基板１４などが、夫々埃などから各基板を守るために、例えば箱状の基板ケース１８，１９，２０，２１に収容された状態で本体枠の背面側、すなわち基板ベース１６の所定位置に配置されている。
【００２２】
基板ケース（例えば基板ケース１９）は、例えば合成樹脂材料などをもって略矩形状に形成される基板上部ケースと、該基板上部ケースの開放した下面を覆う略矩形状の基板下部ケースとで、内部に制御基板（例えば副制御基板１２）を収容可能な収容空間を形成する所定の箱形状を構成しており、前記基板上部ケースと基板下部ケースとの間に、制御基板（例えば副制御基板１２）を収容してビスなどの固定手段を介して共締めするものが一例として挙げられる。なお、基板ケースの形状・大きさなどは遊技機の設計上任意に変更可能であり特に限定されるものではない。
【００２３】
カバー体１７は、本実施例では、図２に示すように、前記基板ベース１６に取り付けられた各制御基板１１，１２，１３，１４の各基板ケース１８，１９，２０，２１、電源スイッチ１５及び中継基板等の電気部品全体を覆う所定形状に形成されている。
このカバー体１７は、背面視左端の上下位置に軸支部を設け、その軸支部が、基板ベース１６の背面視左端に設けた軸受部に軸受けされて回動可能（開閉可能）に備えられる。
また、カバー体１７にはフランジ（係止ピン）が複数（左上・右上・右下）設けられており、カバー体１７装着時に、前記フランジと同軸上となる位置に設けられた基板ベース１６上のフランジ係止部に係止可能となっている。
【００２４】
そして、本実施例のカバー体１７には、背面視右端中央位置に前記電源スイッチ１５が臨む開口１７ａが形成されている。
また、例えば図２及び図３に示すように、カバー体１７の略中央位置には、主制御基板１１を収容する基板ケース（主制御基板１８）の表面の一部（本実施例では凸条部１８ａなど）が臨む開口１７ｂも形成されている。
従って、各フランジをそれぞれ基板ベース１６に係止させた状態で、右端中央位置に設けられた開口１７ａから電源スイッチ１５が臨み、略中央位置に設けられた開口１７ｂから基板ケース１８の凸条部１８ａが臨む形態となっている。
【００２５】
そして、本実施例では、制御基板（本実施例では副制御基板１２）や演出表示装置（図示省略）から生じた熱を逃がすための通気孔２２が設けられている。
【００２６】
通気孔２２は、カバー体１７の所定箇所で、該カバー体１７の表裏面にわたって貫通して形成されている。通気孔２２の形状、配設箇所及び配設個数は特に限定されるものではなく、本発明の範囲内で設計変更可能であるが、具体的な一例を説明すると、本実施例では、図４及び図５に示すように、カバー体１７の閉止状態で、該カバー体１７内方に位置する副制御基板１２の収容領域に対応するカバー体１７の表面領域の直下に、横長矩形状に２箇所横並びに形成されている。
【００２７】
この通気孔２２には、図５に示すように通気孔２２の下端から延設させた傾斜部２３を一体成形により備えている。
傾斜部２３は略平板状に形成され、少なくともカバー体１７の閉扉時の高さ方向における前記通気孔２２の下端縁２２ａから、該通気孔２２を閉塞することなく、カバー体１７の閉扉時において対向する前記本体枠１の背面方向（基板ベース１６方向）に向けて昇り傾斜状に延設されている。
傾斜部２３は、本実施例では、下端縁２２ａの全域にわたって設けられているが、全域ではなく所定領域でもよい。
本実施例のように通気孔２２内方に昇り傾斜状の傾斜部２３を備えたことにより、カバー体１７内方への外部からの遊技球の侵入を阻止することができる。
【００２８】
さらに本実施例では、この傾斜部２３を介してカバー体１７内方に形成される開口２４を、副制御基板１２の基板ケース１９の一端（側壁１９ａ）に近接して臨ませている。
このように、開口２４を、副制御基板１２の基板ケース１９の一端１９ａに近接して臨ませているため、副制御基板１２で発生した熱を効率的に遊技機外方へと逃がすことができ、放熱効果を向上させることができる。さらに、外気を副制御基板１２方向へと案内する外気誘導ガイドとして傾斜部２３が機能するため、副制御基板１２の冷却効果も有している。
また、本実施例の傾斜部２３は、図５に示すように、通気孔２２の左右側端の内方縁２２ｂと連続する左右の横壁部２６を備えており、通気孔２２の側端方向からの遊技球の侵入も抑制でき、より効率的に遊技球の侵入抑制が図れる。
【００２９】
なお、本実施例では上述したとおりの構成を採用しているが、カバー体１７は、少なくとも各制御基板１１，１２，１３，１４を覆うものであればよく、また、傾斜部２３は、少なくとも通気孔２２からの通気作用を阻害することなく、かつ通気孔２２からの遊技球の侵入を抑制することが可能な形状・傾斜角度を有するものであればよく、特に本実施形態の形状に限定解釈されるものではなく、本発明の範囲内で設計変更可能である。
「変形例１」
【００３０】
本実施例では、前記傾斜部２３を、このように通気孔２２の下端縁２２ａの全域にわたって連続して備えているが、断続的であってもよく任意である。
傾斜部２３は、通気孔２２の下端縁２２ａから一体に連続して延設されているが、別体に成形した傾斜部２３を、通気孔２２の下端縁２２ａに直接固定若しくは所定の取付部材を介して取り付けることにより所定位置に配設するものとしてもよい。
「変形例２」
【００３１】
本実施例では、傾斜部２３を介してカバー体１７の内方に形成される開口２４を、副制御基板１２を収容する基板ケース１９の一端１９ａに臨むように備えているが、その他の制御基板（主制御基板１１など）を収容する基板ケース（例えば基板ケース１８など）の所定領域に対して開口２４が臨むようにカバー体１７に形成されるものであってもよく、本発明の範囲内で設計変更可能である。
また、本実施例では、開口２４を、基板ケース１９の一端１９ａに臨むように備えているが、開口２４の臨む方向は特に限定されず設計上任意に設定可能である他、基板ケース（基板ケース１９など）に臨まない構成を採用することも本発明の範囲内で可能である。
「変形例３」
【００３２】
また、本実施例では、通気孔２２に面した傾斜面２３ａを平坦状に形成しているが、傾斜面２３ａの形状は特に限定されず本発明の範囲内で設計変更可能である。横壁部２６の相対向する面も同様に限定されず設計変更可能である。
さらに、傾斜部２３と横壁部２６のいずれか一方若しくは双方を、通気性を向上させるためにメッシュ状に形成したものであってもよい。
【実施例２】
【００３３】
図６は本発明の実施例２について示す。
本実施例では、通気孔２２からカバー体１７の内方に向けて昇り傾斜状の傾斜部２３を実施例１と同様に備えるとともに、該カバー体１７の外方に向けて下り傾斜状の背面側傾斜部２５を備えた点に特徴を有している。
その他の構成及び作用効果は、実施例１と同様であるため、同一箇所に同一符号を付してその説明は省略する。図１乃至図４は援用する。
【００３４】
背面側傾斜部２５は略平板状に形成され、カバー体１７の背面側で、かつカバー体１７の閉扉時の高さ方向における通気孔２２の上端縁２２ｃから、カバー体１７の外方に向けて下り傾斜状に連続して備えられている。
本実施例によれば、背面側傾斜部２５は、前記傾斜部２３と平行となるように同一角度をもって備えられている。また、実施例１において傾斜部２３で左右の横壁部２６を備えたと同様に、背面側傾斜部２５にも左右の横壁部２７を備えている。
なお、この傾斜角度は特に限定されるものではないが、通気孔２２からの通気作用を阻害することなく遊技球の侵入を抑制することが可能な傾斜角度が本発明の範囲内で自由に選択される。
また、本実施例では、上述の通り背面側傾斜部２５にも左右の横壁部２７を備えているが、この横壁部２７を備えない形態であっても本発明の範囲内であり本発明の範囲内で設計変更可能である。この横壁部２７をメッシュ状に構成することも実施例１と同様に可能である。
【図面の簡単な説明】
【００３５】
【図１】本発明遊技機の概略正面図である。
【図２】本発明遊技機の概略背面図である。
【図３】図２のカバー体領域を拡大して示す概略図である。
【図４】図３のｉ−ｉ線断面図である。
【図５】通気孔部分を示す拡大断面図である。
【図６】実施例２における通気孔部分を示す拡大断面図である。
【符号の説明】
【００３６】
１  本体枠
１２  副制御基板
１７  カバー体
２２  通気孔
２３  傾斜部
２４  開口
２５  背面側傾斜部
２６  横壁部
【図１】
2007209537.tif 000003
【図２】
2007209537.tif 000004
【図３】
2007209537.tif 000005
【図４】
2007209537.tif 000006
【図５】
2007209537.tif 000007
【図６】
2007209537.tif 000008